(57)【要約】【課題】  印刷物複製の抑止効果を維持しつつ、原稿画像が読みづらくなるのを抑制することができる複合機を提供することを目的とする。【解決手段】  無地の背景に文字が配置された原稿画像を保持する原稿画像記憶手段と、文字列が関連付けられた画像であって、隣接ドット間の濃度差が原稿画像における文字及び背景間の濃度差よりも小さな地紋画像を保持する地紋画像記憶手段と、原稿画像内の文字及び地紋画像が重複するように当該原稿画像の１ページ内に同じ地紋画像を繰返し埋め込んで地紋埋込画像を生成する地紋埋込画像生成手段と、地紋埋込画像を用紙に印刷する印刷手段と、用紙に印刷された地紋埋込画像を読み取って読取データを生成する読取データ生成手段と、読取データに基づいて地紋埋込画像に埋め込まれている地紋画像に対応付けられた文字列を判別する文字列判別手段により構成される。【選択図】  図３
2009141918.tif 000002
【特許請求の範囲】
【請求項１】
無地の背景に文字が配置された原稿画像を保持する原稿画像記憶手段と、
文字列が関連付けられた画像であって、隣接ドット間の濃度差が上記原稿画像における文字及び背景間の濃度差よりも小さな地紋画像を保持する地紋画像記憶手段と、
上記原稿画像内の文字及び上記地紋画像が重複するように当該原稿画像内に同じ地紋画像を繰返し埋め込んで地紋埋込画像を生成する地紋埋込画像生成手段と、
上記地紋埋込画像を用紙に印刷する印刷手段と、
用紙に印刷された上記地紋埋込画像を読み取って読取データを生成する読取データ生成手段と、
上記読取データに基づいて、上記地紋埋込画像に埋め込まれている上記地紋画像に対応付けられた文字列を判別する文字列判別手段とを備えたことを特徴とする複合機。
【請求項２】
文字列をコード化し、隣接ドット間で濃度を変化させて上記地紋画像を生成する地紋画像生成手段を備え、
上記文字列判別手段が、上記読取データから上記地紋画像を抽出してデコードすることによって、文字列の判別を行うことを特徴とする請求項１に記載の複合機。
【請求項３】
上記地紋画像生成手段は、上記地紋画像内におけるドットの最大濃度が上記原稿画像内の文字濃度よりも低くなるように、隣接ドット間で濃度を変化させて上記地紋画像を生成することを特徴とする請求項２に記載の複合機。
【請求項４】
上記地紋画像生成手段は、少なくとも横方向に隣接する３以上のドットからなるドット列について、隣接ドット間で濃度を単調に減少させ、或いは、単調に増加させて上記地紋画像を生成することを特徴とする請求項２に記載の複合機。
【請求項５】
上記地紋埋込画像生成手段は、原稿画像全体にわたって同じ地紋画像を繰返し埋め込んで上記地紋埋込画像を生成することを特徴とする請求項１に記載の複合機。
【請求項６】
上記文字列判別手段による判別結果に基づいて上記読取データから上記地紋画像を除去し、復元画像を生成する復元画像生成手段と、
上記文字列判別手段によって判別された文字列を上記復元画像に埋め込んで出力用の文字列埋込画像を生成する出力画像生成手段とを備えたことを特徴とする請求項１に記載の複合機。
【発明の詳細な説明】
【技術分野】
【０００１】
本発明は、複合機に係り、さらに詳しくは、無地の背景に文字が配置された原稿画像に文字列が関連付けられた地紋画像を埋め込んで用紙に印刷することができる複合機の改良に関する。
【背景技術】
【０００２】
近年、印刷物による情報漏洩及び印刷物の複製を抑制し、また、印刷物を追跡する技術として、持ち出し及び複製が禁止されていることを示す文字列を埋め込んで印刷する技術が提案されている。例えば、文書データを用紙に印刷する際に、原稿画像に文書名、プリンタ名、コピー禁止などの文字列が隠し文字として埋め込まれる。隠し文字は、高解像度のドットからなる背景中に低解像度のドットからなる文字を埋め込むことによって形成される。この様な隠し文字が埋め込まれた印刷物を複製した際に、高解像度の背景を除去して隠し文字を浮かび上がらせることによって、印刷物の複製を抑制することができる。また、用紙の一部に連続した模様からなる地紋を付加することによって、印刷物の複製を抑制する技術も知られている（例えば、特許文献１）。この特許文献１に記載の複写防止印刷物は、背景中に濃度を異ならせて形成した文字を潜像として埋め込んだ地紋を付加することによって形成される。この複写防止印刷では、地紋が付加された印刷物をコピーした場合に、背景及び文字間の濃度差によって文字が浮かび上がることを利用して複製を抑制している。
【０００３】
また、用紙の一部に文字列をコード化したＱＲコード（登録商標）を付加することによって、印刷物のトレーサビリティを向上させる技術も知られている。
【０００４】
しかしながら、隠し文字又は潜像として文字列を埋め込む印刷方法では、文字がそのまま埋め込まれているだけなので、埋め込まれた文字列が判読できてしまう場合があり、原稿画像が読みづらくなってしまうという問題があった。また、用紙の一部にＱＲコードを付加する印刷方法では、コード部分を隠して印刷物を読み取らせることによって、印刷物を追跡するための文字情報を除去できてしまうという問題があった。
【特許文献１】特開平７−７６１９５号公報
【発明の開示】
【発明が解決しようとする課題】
【０００５】
本発明は、上記の事情に鑑みてなされたものであり、印刷物複製の抑止効果を維持しつつ、原稿画像が読みづらくなるのを抑制することができる複合機を提供することを目的とする。特に、印刷物に埋め込む文字情報を判読しづらくした複合機を提供することを目的とする。また、印刷物に埋め込んだ文字情報を隠して複製されるのを抑制することができる複合機を提供することを目的とする。また、文字列をコード化して印刷物に埋め込んだ文字情報が読み出せなくなるのを抑制することができる複合機を提供することを目的とする。
【課題を解決するための手段】
【０００６】
第１の本発明による複合機は、無地の背景に文字が配置された原稿画像を保持する原稿画像記憶手段と、文字列が関連付けられた画像であって、隣接ドット間の濃度差が上記原稿画像における文字及び背景間の濃度差よりも小さな地紋画像を保持する地紋画像記憶手段と、上記原稿画像内の文字及び上記地紋画像が重複するように当該原稿画像内に同じ地紋画像を繰返し埋め込んで地紋埋込画像を生成する地紋埋込画像生成手段と、上記地紋埋込画像を用紙に印刷する印刷手段と、用紙に印刷された上記地紋埋込画像を読み取って読取データを生成する読取データ生成手段と、上記読取データに基づいて、上記地紋埋込画像に埋め込まれている上記地紋画像に対応付けられた文字列を判別する文字列判別手段とを備えて構成される。
【０００７】
この複合機では、無地の背景に文字が配置された原稿画像と文字列が関連付けられた地紋画像とから印刷用の地紋埋込画像を生成する際に、原稿画像内の文字及び地紋画像が重複するように、原稿画像内に同じ地紋画像を繰返し埋め込んで地紋埋込画像が生成される。この様な構成によれば、印刷物に埋め込む文字情報が地紋画像として埋め込まれるので、判読しづらくすることができる。従って、印刷物複製の抑止効果を維持しつつ、原稿画像が読みづらくなるのを抑制することができる。また、原稿画像内の文字と地紋画像とが重複するように地紋埋込画像が形成されるので、地紋埋込画像を読み取る際に、地紋画像を隠して読み取られることを抑制することができる。さらに、原稿画像内に同じ地紋画像を繰返し埋め込むので、地紋埋込画像を読み取って地紋画像に対応する文字列を判別する際に文字情報が読み出せなくなるのを抑制することができる。
【０００８】
第２の本発明による複合機は、上記構成に加え、文字列をコード化し、隣接ドット間で濃度を変化させて上記地紋画像を生成する地紋画像生成手段を備え、上記文字列判別手段が、上記読取データから上記地紋画像を抽出してデコードすることによって、文字列の判別を行うように構成される。
【０００９】
第３の本発明による複合機は、上記構成に加え、上記地紋画像生成手段が、上記地紋画像内におけるドットの最大濃度が上記原稿画像内の文字濃度よりも低くなるように、隣接ドット間で濃度を変化させて上記地紋画像を生成するように構成される。この様な構成によれば、印刷物に埋め込む地紋画像内のドットの濃度が原稿画像内の文字濃度よりも低いので、地紋画像によって原稿画像が読みづらくなるのをさらに抑制することができる。
【００１０】
第４の本発明による複合機は、上記構成に加え、上記地紋画像生成手段が、少なくとも横方向に隣接する３以上のドットからなるドット列について、隣接ドット間で濃度を単調に減少させ、或いは、単調に増加させて上記地紋画像を生成するように構成される。
【００１１】
第５の本発明による複合機は、上記構成に加え、上記地紋埋込画像生成手段が、原稿画像全体にわたって同じ地紋画像を繰返し埋め込んで上記地紋埋込画像を生成するように構成される。
【００１２】
第６の本発明による複合機は、上記構成に加え、上記文字列判別手段による判別結果に基づいて上記読取データから上記地紋画像を除去し、復元画像を生成する復元画像生成手段と、上記文字列判別手段によって判別された文字列を上記復元画像に埋め込んで出力用の文字列埋込画像を生成する出力画像生成手段とを備えて構成される。この様な構成によれば、読取データから地紋画像を除去した復元画像に当該地紋画像から判別された文字列を埋め込んで出力用の画像データが生成されるので、地紋埋込画像が印刷された印刷物の複製を抑制することができる。
【発明の効果】
【００１３】
本発明による複合機によれば、印刷物に埋め込む文字情報が地紋画像として埋め込まれるので、判読しづらくすることができる。従って、印刷物複製の抑止効果を維持しつつ、原稿画像が読みづらくなるのを抑制することができる。また、原稿画像内の文字と地紋画像とが重複するように地紋埋込画像が形成されるので、地紋埋込画像を読み取る際に、地紋画像を隠して読み取られることを抑制することができる。さらに、原稿画像内に同じ地紋画像を繰返し埋め込むので、地紋埋込画像を読み取って地紋画像に対応する文字列を判別する際に文字情報が読み出せなくなるのを抑制することができる。
【発明を実施するための最良の形態】
【００１４】
図１は、本発明の実施の形態による複合機６を含む画像処理システム１の概略構成の一例を示したシステム図である。この画像処理システム１は、インターネット又はＬＡＮなどの通信ネットワーク３を介して互いに通信可能なＰＣ（パーソナルコンピュータ）２、文書管理サーバ４及び複合機６からなる。文書管理サーバ４は、通信ネットワーク３上の端末装置で作成された文書データを管理するサーバであり、例えば、ＰＣ２からの指示に基づいて文書データ記憶部５内の文書データを複合機６に転送する動作が行われる。
【００１５】
複合機６は、プリンタ機能、スキャナ機能、ファクシミリ機能及びスキャン機能を有するＭＦＰ（Multi-Function Peripheral）であり、これらの機能を選択的に実行することができるようになっている。プリンタ機能は、文書データを用紙に印刷する機能であり、例えば、通信ネットワーク３を介して文書管理サーバ４から転送された文書データが印刷される。
【００１６】
スキャナ機能は、用紙に印刷された画像を読み取る機能である。ファクシミリ機能は、文書データをＦＡＸ（ファクシミリ）送信する機能であり、例えば、用紙から読み取られた画像データが図示しないＰＳＴＮ（Public Switched Telephone Networks：公衆回線網）を介して他の通信装置へ送信される。スキャン機能は、用紙から読み取られた画像データを他の端末装置に転送する機能であり、通信ネットワーク３上の端末装置を保存先として指定して画像データが転送される。
【００１７】
この複合機６では、文書データを用紙に印刷する際に、印刷物の複製を抑制するための文字列が関連付けられた地紋画像を原稿画像に埋め込んで印刷される。
【００１８】
図２は、図１の画像処理システム１における複合機６の構成例を示したブロック図である。この複合機６は、外部インターフェース部１１、プリンタ部１２、キー入力部１３及びスキャナ部１４により構成される。外部インターフェース部１１は、通信ネットワーク３又はＰＳＴＮを介してデータを送受信するための通信制御手段であり、例えば、通信ネットワーク３を介して文書管理サーバ４から転送された文書データをプリンタ部１２へ出力する動作が行われる。
【００１９】
プリンタ部１２は、文書データを用紙に印刷するためのユニットであり、原稿画像記憶部２１、地紋画像生成部２２、地紋画像記憶部２３、地紋埋込画像生成部２４及び印刷部２５からなる。原稿画像記憶部２１は、無地の背景に文字が配置された原稿画像を保持するためのメモリであり、例えば、外部インターフェース部１１からの文書データが原稿画像として保持される。原稿画像内の文字は、例えば、多数のドットによって形成され、ドットの存在しない領域として背景が形成される。
【００２０】
この様な原稿画像としては、文書管理サーバ４から転送されたものの他に、用紙から読み取られた画像データ又は他の通信装置からＦＡＸ受信した画像データであっても良い。
【００２１】
地紋画像生成部２２は、文字列が関連付けられた地紋画像を生成する動作を行っている。地紋画像は、文字列をコード化し、隣接ドット間における濃度差が原稿画像における文字及び背景間の濃度差よりも小さくなるように、隣接ドット間で濃度を変化させることによって形成される。つまり、原稿画像が白地の背景に黒の文字が配置された白黒画像からなるのに対して、地紋画像は、隣接ドット間で濃度が緩やかに変化するグラデーション画像となっている。
【００２２】
ここでは、この様な地紋画像を原稿画像に埋め込んだ際に地紋画像が目立たないようにするために、地紋画像内におけるドットの最大濃度が原稿画像内の文字濃度よりも低くなるように、隣接ドット間で濃度を変化させて地紋画像が形成されるものとする。
【００２３】
コード化対象の文字列としては、文書データに含まれている情報、文書データの転送元情報、複合機６の識別情報、複合機６に予め登録されている登録情報、印刷情報、複合機６の操作者（オペレータ）情報、又は、オペレータが指定した文字情報が考えられる。上記文書データに含まれている情報とは、例えば、ヘッダ情報に含まれる文書名、文書の作成者名、文書の作成日時のことである。転送元情報とは、例えば、文書データの転送元を示すアドレス情報又はアカウント情報のことである。
【００２４】
複合機６の識別情報とは、例えば、複合機６に割り当てられているアカウント情報又はプリンタ名のことである。登録情報としては、例えば、印刷物の複製が禁止されていることを示す文字列、又は、複合機６が設置されている場所を示す部署名が考えられる。印刷情報とは、文書データを印刷する際のジョブ情報のことであり、例えば、ページ番号、総ページ数又は印刷日時が考えられる。
【００２５】
オペレータ情報とは、例えば、オペレータ名のことであり、複合機６を操作しているオペレータが識別可能な場合に付加される。オペレータが指定した文字情報としては、任意の文字列を指定することができ、例えば、キー入力部１３からの入力信号に基づいて文字列が指定される。
【００２６】
地紋画像生成部２２によって生成された地紋画像は、地紋画像記憶部２３内に格納される。地紋埋込画像生成部２４は、原稿画像内の文字と、地紋画像とが重複するように当該原稿画像内に同じ地紋画像を繰返し埋め込んで地紋埋込画像を生成する動作を行っている。この地紋埋込画像は、例えば、印刷対象とする原稿画像全体にわたって同じ地紋画像を繰返し埋め込むことによって形成される。
【００２７】
印刷部２５は、地紋埋込画像生成部２４によって生成された地紋埋込画像を用紙に印刷する動作を行っている。
【００２８】
スキャナ部１４は、用紙に印刷された画像を読み取るためのユニットであり、読取データ生成部３１、文字列判別部３２、復元画像生成部３３及び出力画像生成部３４からなる。読取データ生成部３１は、用紙に印刷された地紋埋込画像を読み取って読取データを生成する動作を行っている。この読取データ生成部３１では、原稿画像に埋め込まれている地紋画像の解像度以上の解像度で画像が読み取られる。
【００２９】
文字列判別部３２は、読取データ生成部３１からの読取データに基づいて、地紋埋込画像から地紋画像を抽出し、当該地紋画像に対応付けられている文字列を判別する動作を行っている。例えば、読取データから抽出した地紋画像をデコードすることによって、文字列の判別が行われる。
【００３０】
復元画像生成部３３は、文字列判別部３２による判別結果に基づいて読取データから地紋画像を除去し、復元画像を生成する動作を行っている。出力画像生成部３４は、文字列判別部３２によって判別された文字列を復元画像に埋め込んで出力用の画像データを生成する動作を行っている。この出力用画像データは、例えば、地紋画像からデコードされた文字列を復元画像に埋め込んだ文字列埋込画像となっている。
【００３１】
出力用画像データは、例えば、印刷部２５へ出力され、用紙に印刷される。或いは、外部インターフェース部１１を介して他の通信装置へＦＡＸ送信される。或いは、外部インターフェース部１１を介して保存先の他の端末装置に転送される。
【００３２】
図３は、図２の複合機６における印刷時の動作の一例を示した図であり、原稿画像４１に地紋画像４４を埋め込むことによって地紋埋込画像５１が形成される様子が示されている。この原稿画像４１は、印刷対象とするページごとの画像データであり、矩形形状からなる無地の背景４２に文字４３が配置されている。
【００３３】
地紋画像４４は、隣接ドット間で濃度を緩やかに変化させることによって形成されている。具体的には、所定の解像度で縦方向及び横方向に隣接するドット間の濃度差が原稿画像４１における文字４３と背景４２との間の濃度差よりも小さくなるように、隣接ドット間で濃度を変化させることによって、地紋画像４４が形成されている。隣接ドット間で濃度を変化させる際の解像度は、例えば、２００ｄｐｉ（dot per inch）となっている。
【００３４】
地紋画像４４は、この様に、隣接ドット間の濃度差を利用して文字列をコード化した濃度差コードパターンとして形成される。この地紋画像４４を横方向に隣接する３以上のドットからなるドット列に注目して見れば、少なくともこの様なドット列については、隣接ドット間で濃度が単調に減少し、或いは、単調に増加するものとなっている。また、縦方向のドット列についても、横方向のドット列と同様に、隣接ドット間で濃度が単調に減少し、或いは、単調に増加するものとなっている。つまり、地紋画像４４を構成する各ドットの濃度を示す２次元の濃度分布は、縦方向及び横方向に関して階段状に濃度値が変化するものとなっている。
【００３５】
ここでは、正方形形状からなる白地の背景にドットが配置され、隣接ドット間における濃度差の最大値が原稿画像４１における文字４３及び背景４２間の濃度差よりも小さくなっているものとする。また、地紋画像４４内におけるドットの最大濃度が原稿画像４１内の文字濃度よりも低くなっているものとする。
【００３６】
地紋埋込画像５１は、この様な原稿画像４１内に地紋画像４４を繰返し埋め込むことによって形成される。地紋画像４４は、原稿画像４１に対して、所定方向に繰返し埋め込まれる。この例では、縦方向５２及び横方向５３に繰返し埋め込まれる。具体的には、原稿画像４１全体にわたって、隙間なく、かつ、互いに重複することなく地紋画像４４を配置することによって、地紋埋込画像５１が形成されている。
【００３７】
ここで、地紋埋込画像５１における縦方向５２及び横方向５３とは、それぞれ用紙を搬送する際の搬送方向と、この搬送方向に垂直な方向のことである。
【００３８】
図４は、図２の複合機６における読み取り時の動作の一例を示した図であり、地紋埋込画像５１が印刷された用紙を読み取ってコピー出力及びＦＡＸ送信した際の様子が示されている。地紋埋込画像５１を用紙に印刷する際には、例えば、６００ｄｐｉの解像度で印刷される。
【００３９】
この様な地紋埋込画像５１が印刷された用紙を複合機６に読み取らせる際には、地紋画像４４の解像度以上の解像度、すなわち、２００ｄｐｉ以上の解像度で画像の読み取りが行われる。
【００４０】
複合機６では、用紙に印刷された地紋埋込画像５１を読み取った際に、地紋埋込画像５１から地紋画像を抽出し、当該地紋画像に対応付けられている文字列が判別される。そして、この判別結果に基づいて出力用画像データが生成される。
【００４１】
出力用画像データを印刷する場合には、印刷物のコピーが禁止されていることを示す文字列「コピー禁止」６２と、複合機６の設置場所を示す部署名「経理部」とを復元画像に埋め込んだ文字列埋込画像６１が出力用画像として生成される。
【００４２】
出力用画像データをＦＡＸ送信する場合には、印刷物の複製が禁止されていることを示す文字列「ＦＡＸ禁止」６４と、複合機６の設置場所を示す部署名「経理部」とを復元画像に埋め込んだ文字列埋込画像６３が出力用画像として生成される。
【００４３】
図５のステップＳ１０１〜Ｓ１０５は、図２の複合機６における印刷時の動作の一例を示したフローチャートである。まず、地紋埋込画像生成部２４は、原稿画像記憶部２１から読み出した原稿画像データを印刷用のメモリに展開し（ステップＳ１０１）、地紋画像を付加するか否かの設定値を参照する（ステップＳ１０２）。
【００４４】
このとき、例えば、オペレータによって地紋画像の付加が選択されていれば、原稿画像に地紋画像を重ね合わせて地紋埋込画像が生成され、用紙に印刷される（ステップＳ１０３，Ｓ１０４）。
【００４５】
一方、地紋画像の付加が選択されていない場合には、原稿画像がそのまま用紙に印刷される（ステップＳ１０５）。
【００４６】
図６のステップＳ２０１〜Ｓ２０７は、図２の複合機６における読み取り時の動作の一例を示したフローチャートである。まず、読取データ生成部３１は、用紙に印刷された画像を読み取って読取データを生成する（ステップＳ２０１）。
【００４７】
次に、文字列判別部３２は、読取データに基づいて地紋画像が埋め込まれているか否かを判断し（ステップＳ２０２）、地紋画像が埋め込まれていれば、オペレータの操作内容をチェックし、地紋画像に対応する文字列を判別する（ステップＳ２０３，Ｓ２０４）。例えば、原稿画像内に展開された全地紋画像を重ね合わせることによって地紋埋込画像から地紋画像が抽出され、デコードされる。
【００４８】
復元画像生成部３３は、この文字列の判別結果に基づいて読取データから地紋を除去し、復元画像を生成する（ステップＳ２０５）。出力画像生成部３４は、デコードされた文字列を復元画像に付加し、出力用画像データを生成する（ステップＳ２０６）。このとき、オペレータによって読取データのコピーが選択されていれば、印刷物のコピーが禁止されていることを示す文字列「コピー禁止」が復元画像に付加される。
【００４９】
また、オペレータによって読取データのＦＡＸ送信が選択されている場合には、印刷物のＦＡＸ送信による複製が禁止されていることを示す文字列「ＦＡＸ禁止」が復元画像に付加される。また、オペレータによって読取データのスキャン転送が選択されている場合には、印刷物のスキャン転送による複製が禁止されていることを示す文字列「スキャン禁止」が復元画像に付加される。
【００５０】
一方、地紋画像が埋め込まれていない場合には、読取データがそのまま出力用画像データとして出力される。この様な出力用画像データは、オペレータによって選択された動作モードに応じた出力処理が行われる。すなわち、読取データのコピーが選択されていれば、出力用画像データが用紙に印刷される。
【００５１】
また、読取データのＦＡＸ送信が選択されている場合には、出力用画像データがＦＡＸ送信される。また、読取データのスキャン転送が選択されている場合には、出力用画像データが保存先の他の端末装置に転送される。
【００５２】
本実施の形態によれば、印刷物に埋め込む文字情報が地紋画像４４として埋め込まれるので、判読しづらくすることができる。従って、印刷物複製の抑止効果を維持しつつ、原稿画像４１が読みづらくなるのを抑制することができる。また、原稿画像４１内の文字４３と地紋画像４４とが重複するように地紋埋込画像５１が形成されるので、地紋埋込画像５１を読み取る際に、地紋画像４４を隠して読み取られることを防止することができる。さらに、原稿画像４１内に同じ地紋画像４４を繰返し埋め込むので、地紋埋込画像５１を読み取って地紋画像４４に対応する文字列を判別する際に文字情報が読み出せなくなるのを抑制することができる。
【００５３】
また、読取データから地紋画像４４を除去した復元画像に当該地紋画像４４から判別された文字列を埋め込んで出力用画像データが生成されるので、地紋埋込画像５１が印刷された印刷物の複製を抑制することができる。
【００５４】
なお、本実施の形態では、原稿画像に埋め込む地紋画像が文字列のコード化の結果として形成される場合の例について説明したが、本発明はこれに限られるものではない。例えば、予め複数の地紋画像がそれぞれ文字列に関連付けて保持され、選択的に原稿画像に埋め込むようなものであっても良い。
【００５５】
また、本実施の形態では、読取データから地紋画像を除去して復元画像が生成され、復元画像に地紋画像のデコード結果を埋め込んで出力用画像データが生成される場合の例について説明したが、本発明はこれに限られるものではない。例えば、地紋画像のデコード結果に基づいて、読取データのその後の処理方法を異ならせるようなものであっても良い。
【００５６】
具体的には、文字列判別部３２が地紋画像をデコードした結果、例えば、印刷物のコピーが禁止されている場合に、読取データの印刷を禁止し、印刷物のコピーが禁止されていない場合には、読取データの印刷を許可するように構成することが考えられる。或いは、地紋画像をデコードした結果、印刷物のＦＡＸ送信が禁止されている場合に、読取データのＦＡＸ送信を禁止し、印刷物のＦＡＸ送信が禁止されていない場合には、読取データのＦＡＸ送信を許可するように構成することが考えられる。
【図面の簡単な説明】
【００５７】
【図１】本発明の実施の形態による複合機６を含む画像処理システム１の概略構成の一例を示したシステム図である。
【図２】図１の画像処理システム１における複合機６の構成例を示したブロック図である。
【図３】図２の複合機６における印刷時の動作の一例を示した図であり、原稿画像４１及び地紋画像４４を重畳して地紋埋込画像５１が形成される様子が示されている。
【図４】図２の複合機６における読み取り時の動作の一例を示した図であり、地紋埋込画像５１を読み取ってコピー出力及びＦＡＸ送信した際の様子が示されている。
【図５】図２の複合機６における印刷時の動作の一例を示したフローチャートである。
【図６】図２の複合機６における読み取り時の動作の一例を示したフローチャートである。
【符号の説明】
【００５８】
１  画像処理システム
２  ＰＣ
３  通信ネットワーク
４  文書管理サーバ
６  複合機
１１  外部インターフェース部
１２  プリンタ部
１３  キー入力部
１４  スキャナ部
２１  原稿画像記憶部
２２  地紋画像生成部
２３  地紋画像記憶部
２４  地紋埋込画像生成部
２５  印刷部
３１  読取データ生成部
３２  文字列判別部
３３  復元画像生成部
３４  出力画像生成部
４１  原稿画像
４４  地紋画像
５１  地紋埋込画像
６１，６３  文字列埋込画像
【図１】
2009141918.tif 000003
【図２】
2009141918.tif 000004
【図５】
2009141918.tif 000005
【図６】
2009141918.tif 000006
【図３】
2009141918.tif 000007
【図４】
2009141918.tif 000008